(57)【要約】      （修正有）【課題】フィニッシャと、エスカッションと、の間のクリアランスを、ディスプレイの可動範囲を確保するために必要な最低限のクリアランスに抑えることができるナビゲーション装置を提供する。【解決手段】ナビゲーション装置は、筐体に固定して取り付けられたインナーエスカッションと、インナーエスカッションに収納される可動式ディスプレイの枠を構成するエスカッション２５０Ｌと、エスカッション２５０Ｌの周囲に配されるフィニッシャと、を備え、エスカッション２５０Ｌの所定の位置には、溝２６０Ｌが設けられ、前記フィニッシャには、溝２６０Ｌにはめ込まれる突起３６０Ｌが設けられ、前記フィニッシャは、突起３６０Ｌが溝２６０Ｌにはまり込むように位置決めされて前記インナーエスカッションに取り付けられる。【選択図】図５
2012076634.tif 000002
【特許請求の範囲】
【請求項１】
筐体に固定して取り付けられたインナーエスカッションと、
前記インナーエスカッションに収納される可動式ディスプレイの枠を構成するエスカッションと、
前記エスカッションの周囲に配されるフィニッシャと、を備え、
前記エスカッションの所定の位置には、溝が設けられ、
前記フィニッシャには、前記溝にはめ込まれる突起が設けられ、
前記フィニッシャは、前記突起が前記溝にはまり込むように位置決めされて前記インナーエスカッションに取り付けられる、
ことを特徴とするナビゲーション装置。
【請求項２】
請求項１に記載のナビゲーション装置であって、
前記溝は、前記エスカッションの周囲に設けられる、
ことを特徴とするナビゲーション装置。
【請求項３】
請求項１または２に記載のナビゲーション装置であって、
前記溝は、前記インナーエスカッションの主面側に開口し、
前記溝の開口部は、前記溝の底部よりも幅が広い、
ことを特徴とするナビゲーション装置。
【請求項４】
請求項１〜３のいずれか一項に記載のナビゲーション装置であって、
前記溝は、前記エスカッションに複数設けられている、
ことを特徴とするナビゲーション装置。
【請求項５】
ナビゲーション装置の組み立て方法であって、
前記ナビゲーション装置は、
筐体に固定して取り付けられたインナーエスカッションと、
前記インナーエスカッションに収納される可動式ディスプレイの枠を構成するエスカッションと、
前記エスカッションの周囲に配されるフィニッシャと、を備え、
前記エスカッションの所定の位置には、溝が設けられており、
前記フィニッシャには、前記溝にはめ込まれる突起が設けられており、
前記可動式ディスプレイを傾ける傾斜ステップと、
前記フィニッシャを、前記突起が前記溝にはまり込むように位置決めする位置決めステップと、
前記可動式ディスプレイを前記インナーエスカッションに収納する収納ステップと、
前記フィニッシャを前記インナーエスカッションに取り付ける取り付けステップと、
を実施することを特徴とする組み立て方法。
【請求項６】
請求項５に記載の組み立て方法であって、
前記溝は、前記エスカッションの周囲に設けられる、
ことを特徴とする組み立て方法。
【請求項７】
請求項５または６に記載の組み立て方法であって、
前記溝は、前記インナーエスカッションの主面側に開口し、
前記溝の開口部は、前記溝の底部よりも幅が広い、
ことを特徴とする組み立て方法。
【請求項８】
請求項５〜７のいずれか一項に記載の組み立て方法であって、
前記溝は、前記エスカッションに複数設けられている、
ことを特徴とする組み立て方法。
【発明の詳細な説明】
【技術分野】
【０００１】
本発明は、ナビゲーション装置の技術に関するものである。
【背景技術】
【０００２】
従来、ナビゲーション装置には、可動のディスプレイを一体に備えるものがある。例えば、一体になったディスプレイ下部が突出することで、ディスプレイが所定の角度まで上向きに傾くものがある。特許文献１には、ディスプレイの一部が傾くナビゲーション装置の技術が記載されている。当該文献に記載の発明では、ディスプレイの外周（エスカッション）は、ディスプレイを傾かせるためのアーム部材に対して位置決めされており、ディスプレイ周囲の装飾部材である化粧板（フィニッシャ）は、ナビゲーション装置本体に対して位置決めされる。
【先行技術文献】
【特許文献】
【０００３】
【特許文献１】特開平９−３０９３８８号公報
【発明の概要】
【発明が解決しようとする課題】
【０００４】
しかし、上記のようなナビゲーション装置では、フィニッシャと、エスカッションと、の間のクリアランスは、ディスプレイの可動範囲を確保するための量に限らず、各部品の取り付け誤差や部品の寸法の誤差を吸収するためのクリアランスを必要とする。当該クリアランスは、ナビゲーション装置全体としての美観を損なうことがあり、設計上の制約事項ともなることがある。
【０００５】
本発明の目的は、フィニッシャと、エスカッションと、の間のクリアランスを、ディスプレイの可動範囲を確保するために必要な最低限のクリアランスに抑えるナビゲーション装置の技術を提供することにある。
【課題を解決するための手段】
【０００６】
上記課題を解決すべく、本発明に係るナビゲーション装置は、筐体に固定して取り付けられたインナーエスカッションと、前記インナーエスカッションに収納される可動式ディスプレイの枠を構成するエスカッションと、前記エスカッションの周囲に配されるフィニッシャと、を備え、前記エスカッションの所定の位置には、溝が設けられ、前記フィニッシャには、前記溝にはめ込まれる突起が設けられ、前記フィニッシャは、前記突起が前記溝にはまり込むように位置決めされて前記インナーエスカッションに取り付けられる、ことを特徴とする。
【０００７】
また、本発明に係るナビゲーション装置の組み立て方法では、前記ナビゲーション装置は、筐体に固定して取り付けられたインナーエスカッションと、前記インナーエスカッションに収納される可動式ディスプレイの枠を構成するエスカッションと、前記エスカッションの周囲に配されるフィニッシャと、を備え、前記エスカッションの所定の位置には、溝が設けられており、前記フィニッシャには、前記溝にはめ込まれる突起が設けられており、前記可動式ディスプレイを傾ける傾斜ステップと、前記フィニッシャを、前記突起が前記溝にはまり込むように位置決めする位置決めステップと、前記可動式ディスプレイを前記インナーエスカッションに収納する収納ステップと、前記フィニッシャを前記インナーエスカッションに取り付ける取り付けステップと、を実施することを特徴とする。
【発明の効果】
【０００８】
本願発明によれば、フィニッシャと、エスカッションと、の間のクリアランスを、ディスプレイの可動範囲を確保するために必要な最低限のクリアランスに抑えることができるナビゲーション装置の技術を提供することが可能となる。
【図面の簡単な説明】
【０００９】
【図１】図１は、ナビゲーション装置およびフィニッシャの外観を示す図である。
【図２】図２は、ディスプレイおよびフィニッシャを取り外した状態を示す図である。
【図３】図３は、ディスプレイの外観を示す図である。
【図４】図４は、フィニッシャの外観を示す図である。
【図５】図５は、エスカッションの溝とフィニッシャの突起の拡大図である。
【図６】図６は、フィニッシャの取り付け作業工程を示す図である。
【図７】図７は、フィニッシャの取り付け作業工程を示す図である。
【図８】図８は、フィニッシャの取り付け作業工程を示す図である。
【図９】図９は、フィニッシャとディスプレイが取り付けられた状態を示す図である。
【発明を実施するための形態】
【００１０】
以下に、本発明の第一の実施形態を適用したナビゲーション装置１について、図１〜９を参照して説明する。なお、図１〜９は、ナビゲーション装置１の全ての構成を示すものではなく、理解容易のため、適宜、構成の一部を省略して描いている。
【００１１】
図１は、ナビゲーション装置１の外観の斜視図である。図１（ａ）は、ナビゲーション装置１のディスプレイユニット２００の収納状態を示す。ここで、フィニッシャとエスカッションとの間のクリアランスは、図のＡの幅である。また、図１（ｂ）は、ナビゲーション装置１のディスプレイユニット２００をチルトした（傾けた）状態を、それぞれ示す。なお、両図は、ディスプレイユニット２００の画像表示面２１０（図３参照）が、向かって左手前に配置するように表示している。なお、以下において、「右」及び「左」は、画像表示面２１０を手前にして置いたときを基準とする。
【００１２】
図２は、図１と同様の向きにナビゲーション装置１を配置し、ディスプレイユニット２００と、ディスプレイユニット２００の外周に配される化粧板を構成するフィニッシャ３００と、を取り外した場合の外観の斜視分解図である。図３は、ディスプレイユニット２００の外観の斜視図である。図４は、フィニッシャ３００の外観の斜視図である。図５（ａ）は、ディスプレイユニット２００の外周を構成するエスカッション２５０に設けられた位置決めのための溝部の拡大斜視図である。図５（ｂ）は、フィニッシャ３００の内周に設けられた位置決めのための突起（以降、ボスという。）の斜視図である。当該ボスは、エスカッション２５０に設けられた位置決めのための溝部に嵌りこむことで、フィニッシャとエスカッションとの位置を特定することができるように対応付けられた位置に設けられている。
【００１３】
図６〜図８は、本発明に係る第一の実施形態におけるフィニッシャ３００の取り付け工程を示す図である。具体的には、図６（ａ）は、フィニッシャ３００を取り付ける以前の状態を示す右側の側面外観図である。図６（ｂ）は、フィニッシャ３００を取り付けるために、ディスプレイユニット２００を傾けた状態を示す右側の側面外観図である。図７（ａ）は、フィニッシャ３００を仮に組み付けた状態を示す右側の側面外観図である。図７（ｂ）は、フィニッシャ３００を仮に組み付けた状態において、ディスプレイユニット２００を収納した状態を示す右側の側面外観図である。図８（ａ）は、フィニッシャ３００を組み付けた状態を示す右側の側面外観図である。図８（ｂ）は、フィニッシャ３００を組み付けた状態における斜視図である。
【００１４】
図９は、本発明に係る第一の実施形態におけるフィニッシャ３００を筐体１００に取り付けた状態を、上方から透過するように（図１のＺ方向に）見下ろした図である。
【００１５】
図１および図２に示すように、ナビゲーション装置１は、画像表示面２１０および画像表示面２１０の外周を構成するエスカッション２５０を備えるディスプレイユニット２００と、筐体１００と、スライド部１５０と、フィニッシャ３００と、インナーエスカッション４００と、を備えて構成される。
【００１６】
ディスプレイユニット２００は、扁平直方体形状のケース内に、ディスプレイ基板を格納している。ディスプレイユニット２００の画像表示面２１０には、液晶パネルなどの表示装置の他に、各種の操作ボタンが配置されている。なお、ディスプレイユニット２００の正面の一部及び側面は、樹脂製のケースであるエスカッション２５０で覆われて構成されている。
【００１７】
ディスプレイユニット２００のエスカッション２５０には、上下左右の各側面に、溝部が設けられている（図３参照）。具体的には、エスカッション２５０の上面２５０Ｔの左右中央付近には、溝部２６０Ｔが設けられている。エスカッション２５０の右面２５０Ｒの下部付近には、溝部２６０Ｒが設けられている。エスカッション２５０の下面２５０Ｂの左右中央付近には、溝部２６０Ｂが設けられている。エスカッション２５０の左面２５０Ｌの下部付近には、溝部２６０Ｌが設けられている。
【００１８】
筐体１００は、ディスプレイユニット２００側の面が開放された箱型の部材である。筐体１００内には、ＣＤやＤＶＤのドライブユニット、ハードディスク、各種処理を行うための回路基板等が格納されている。
【００１９】
また、詳細には図示しないが、筐体１００には、スライド部１５０がスライド移動を行うためのガイドとなるレールと、スライド移動の駆動源となるモータと、モータの駆動力をスライド部１５０に伝えるギア等が配置されている。
【００２０】
スライド部１５０は、筐体１００内のレールに沿ってスライドする右側と左側のアーム部１５０Ｒ、１５０Ｌと、ディスプレイユニット２００とヒンジ結合しディスプレイユニット２００を支持するディスプレイ支持部とを備えている。アーム部１５０Ｒ、１５０Ｌは、ギアを介してモータと連結しており、モータの駆動方向に応じて、インナーエスカッション４００の主面に直交する方向（図１のＸ方向）にスライド移動する。
【００２１】
ディスプレイユニット２００の上方部分は、上下方向の移動が制限され、ディスプレイのチルト動作時には、インナーエスカッション４００と近接した位置を保持したまま上下方向に移動する（図１（ｂ）参照）。
【００２２】
フィニッシャ３００は、ディスプレイユニット２００の外周を構成するエスカッション２５０のさらに外周を形成する化粧部材であり、主にインナーエスカッション４００に対して固定されて取り付けられる
【００２３】
図４は、フィニッシャ３００の斜視図である。フィニッシャ３００の左側内壁３５０Ｌには、その下部に、所定の形状、大きさを備える左側面ボス３６０Ｌが、内側に向って突出するように設けられる。フィニッシャ３００の下側内壁３５０Ｂには、ほぼ左右中央位置に、所定の形状、大きさを備える下側面ボス３６０Ｂが、内側に向って突出するように設けられる。フィニッシャ３００の右側内壁３５０Ｒには、その下部に、所定の形状、大きさを備える右側面ボス３６０Ｒが、内側に向って突出するように設けられる。フィニッシャ３００の上側内壁３５０Ｔには、ほぼ左右中央位置に、所定の形状、大きさを備える上側面ボス３６０Ｔが、内側に向って突出するように設けられる。
【００２４】
フィニッシャ３００に設けられた上下左右の内壁のボス３６０Ｔ、３６０Ｂ、３６０Ｌ、３６０Ｒは、ディスプレイユニット２００を格納した状態で、エスカッション２５０の上下左右の外壁の溝部２６０Ｔ、２６０Ｂ、２６０Ｌ、２６０Ｒのそれぞれに嵌り込むよう位置決めされているといえる。
【００２５】
インナーエスカッション４００は、ディスプレイユニット２００を筐体１００に安定的に収納するための部材であり、ディスプレイユニット２００の画像表示面２１０の背面側の形状に対応した箱型をしている。インナーエスカッション４００は、矩形の主面と、その４つの辺に結合した上下左右の壁面とからなる。主面は、ディスプレイユニット２００の収納時においてディスプレイユニット２００の背面と対向する面である。上下左右の４つの壁面は、ディスプレイユニット２００の収納時にディスプレイユニット２００の左右上下の側面と対向する面である。また、インナーエスカッション４００は、筐体１００の開放面（前面）に取り付けられる。
【００２６】
また、インナーエスカッション４００には、ＣＤやＤＶＤなどのディスクの挿入、摘出を行うことができるディスク挿入部および各種の外部機器と接続可能なバスインターフェースが設けられている。また、インナーエスカッション４００には、スライド部１５０のアーム部１５０Ｒ、１５０Ｌがくぐり抜けるためのスライド部材口が設けられている（図２参照）。
【００２７】
ディスプレイユニット２００がチルト動作を行うときは、インナーエスカッション４００は、ディスプレイユニット２００が左右の壁面に沿って上方向又は下方向にスライド移動するよう移動を制限する。したがって、ディスプレイユニット２００のチルト動作時は、スライド部１５０の画像表示面２１０方向への突出に従って、ディスプレイユニット２００の下方部分は、インナーエスカッション４００から引き離される。一方、ディスプレイユニット２００の上方部分はインナーエスカッション４００と接近したまま下方向に移動する。その結果、ディスプレイユニット２００は、徐々に水平に近づくように傾けられる。これにより、ディスク挿入部等が露出し、ユーザは、ＣＤやＤＶＤの交換を行うことができる（図１（ｂ）参照）。本実施形態の車載器１は、概略以上のように構成される。
【００２８】
なお、ディスプレイユニット２００の下部は、インナーエスカッション４００から突出するスライド部１５０に対して位置決めされて取り付けられる。ディスプレイユニット２００の上部は、インナーエスカッション４００の左右の壁面に対して位置決めされて取り付けられる。したがって、ディスプレイユニット２００の格納状態では、エスカッション２５０は、フィニッシャ３００の上下左右の内壁にはまり込む形で格納される。
【００２９】
図５を用いて、エスカッション２５０の左側面２５０Ｌに設けられた溝部２６０Ｌの形状、および、フィニッシャ３００の左側面３５０Ｌに設けられたボス３６０Ｌについて説明する。
【００３０】
図５（ａ）は、エスカッション２５０の左側面２５０Ｌに設けられた溝部２６０Ｌを拡大した図である。溝部２６０Ｌは、インナーエスカッション４００側に広がる開口を持つ。図５（ａ）に示すように、溝部２６０Ｌは、溝の底部から、所定の深さ（中間部）までは等幅となっている。中間部より浅い部分、すなわち開口側においては、さらに広い幅となっている。具体的には、溝の底部の幅２７２と中間部の幅２７１とは略等幅である。開口部の幅２７０は、中間部の幅２７１よりも広い幅となっている。これにより、溝部２６０Ｌにボス３６０Ｌが嵌る際のガイド機能が実現され、ボス３６０Ｌが溝部２６０Ｌに嵌り易くなっている。また、ディスプレイユニット２００のチルト動作によりディスプレイユニット２００とフィニッシャ３００とのなす角度が変化した場合であっても、溝部２６０Ｌとボス３６０Ｌとの勘合はスムーズに外れる。
【００３１】
図５（ｂ）は、フィニッシャ３００の左側面３５０Ｌに設けられたボス３６０Ｌを拡大した図である。ボス３６０Ｌは、円柱状の突起であり、Ｚ方向に平行なテーパ面３６１Ｌを備える。ボス３６０Ｌは、溝部２６０Ｌにはまり込むために、そのＺ方向の幅３６２は溝部２６０Ｌの中間部の幅２７１と略同じか若干短い。また、ボス３６０Ｌの高さは、数ミリ程度（例えば、１．５ｍｍ程度）である。
【００３２】
図６〜図８を用いて、フィニッシャ３００を取り付ける工程を説明する。まず、筐体１００にインナーエスカッション４００が取り付けられており、かつ、ディスプレイユニット２００が取り付けられている状態で、フィニッシャ３００の取り付けを開始する。
【００３３】
まず、図６（ｂ）に示すように、アーム部１５０Ｒ、１５０Ｌを伸張させて、ディスプレイユニット２００がチルトした状態に変形させる。フィニッシャのボス３６０Ｌ、３６０Ｒ、３６０Ｔ、３６０Ｂのそれぞれは、ディスプレイユニット２００が格納動作において溝部２６０Ｌ、２６０Ｒ、２６０Ｔ、２６０Ｂのそれぞれにはまり込むため、一旦ディスプレイユニット２００をチルトさせた状態にする必要があるためである。
【００３４】
次に、図７（ａ）に示すように、フィニッシャ３００をインナーエスカッション４００に接近する方向に近づけて、フィニッシャ３００をインナーエスカッション４００に突き当てる。そして、フィニッシャ３００がインナーエスカッション４００に突き当たっている状態で、フィニッシャ３００の上下左右位置を調整しながら、ディスプレイユニット２００を格納させる（図７（ｂ）参照）。その際、ディスプレイユニット２００のエスカッション２５０の溝部２６０Ｌ、２６０Ｒ、２６０Ｔ、２６０Ｂのそれぞれにフィニッシャのボス３６０Ｌ、３６０Ｒ、３６０Ｔ、３６０Ｂがはまり込むように位置を調整する。
【００３５】
そして、ディスプレイユニット２００をインナーエスカッション４００に格納した状態で、上側ねじ１１０Ｔと下側ねじ１１０Ｂとを用いてフィニッシャ３００をインナーエスカッション４００にねじ止めする（図８（ａ）参照）。なお、上側ねじ１１０Ｔと下側ねじ１１０Ｂの各ねじは、インナーエスカッション４００から突出するねじ止め用の部材を貫通して、フィニッシャ３００に予め設けられたねじ孔にねじ込まれる。インナーエスカッション４００から突出するねじ止め用の部材は、ねじの太さに比べて前周囲渡って数ｍｍ程度（例えば、１ｍｍ程度）太い貫通孔を備えており、フィニッシャ３００の上下左右の位置のずれを許容する。
【００３６】
インナーエスカッション４００とフィニッシャ３００とがねじにより固定された状態を、図８（ｂ）に示す。この状態では、アーム部１５０Ｒ、１５０Ｌが収納されているが、アーム部１５０Ｒ、１５０Ｌが伸張動作を行うことで、ディスプレイユニット２００の下部は前方へ突出し、ディスプレイユニット２００はチルトした状態となる。
【００３７】
図９は、インナーエスカッション４００とフィニッシャ３００とがねじにより固定された状態において、上方向から（Ｚ方向から）見た透過図を、図９に示す。図９では、フィニッシャの上側のボス３６０Ｔが、エスカッション２５０の上側の溝部２６０Ｔにはまり込んだ状態が示されている。
【００３８】
以上が、本発明に係る実施形態である。上記実施形態によれば、この状態では、ボスと溝との勘合により、ディスプレイユニット２００の上下左右方向の移動は制限されるため、フィニッシャ３００とディスプレイユニット２００との位置関係は略確定される。したがって、フィニッシャ３００と、エスカッション２５０と、の間のクリアランスを、ディスプレイの可動範囲を確保するために必要な、最低限のクリアランスに抑えることが可能となる。
【００３９】
本発明は、上記の実施形態に制限されない。上記実施形態は、本発明の技術的思想の範囲内で様々な変形が可能である。例えば、上記実施形態のフィニッシャ３００に設けられたボスと、エスカッション２５０に設けられた溝とは、それぞれ上下左右に４対設けられているが、これに限られず、位置を特定できる程度に設けられていれば良い。例えば、上下左右の面のいずれか３面に設けられているものであってもよいし、上下の一対のみや左右の一対のみであってもよい。このようにすることで、精度を確保しつつ、組み立てをより容易とすることができる。
【００４０】
以上、本発明について、実施形態を中心に説明した。なお、上記の実施形態では、本発明を車載ナビゲーション装置に適用した例について説明したが、本発明は車載のナビゲーション装置に限らず、移動体のナビゲーション装置全般に適用することができる。
【符号の説明】
【００４１】
１・・・ナビゲーション装置、１００・・・筐体、１１０Ｔ、１１０Ｂ・・・ねじ、１５０・・・スライド部、１５０Ｒ、１５０Ｌ・・・アーム部、２００・・・ディスプレイユニット、２１０・・・画像表示面、２５０・・・エスカッション、２５０Ｔ、２５０Ｂ、２５０Ｒ、２５０Ｌ・・・エスカッションの上面、下面、右面、左面、２６０Ｔ、２６０Ｂ、２６０Ｒ、２６０Ｌ・・・エスカッションの上面、下面、右面、左面、の各溝部、３００・・・フィニッシャ、３５０Ｔ、３５０Ｂ、３５０Ｒ、３５０Ｌ・・・フィニッシャの上側面、下側面、右側面、左側面、３６０Ｔ、３６０Ｂ、３６０Ｒ、３６０Ｌ・・・フィニッシャの上側面、下側面、右側面、左側面、のボス、４００・・・インナーエスカッション
【図１】
2012076634.tif 000003
【図２】
2012076634.tif 000004
【図３】
2012076634.tif 000005
【図４】
2012076634.tif 000006
【図５】
2012076634.tif 000007
【図６】
2012076634.tif 000008
【図７】
2012076634.tif 000009
【図８】
2012076634.tif 000010
【図９】
2012076634.tif 000011